(57)【要約】      （修正有）【課題】本来の機能を有する本体部分を組み立て済みのまま保管することを可能とし、再度利用するまでの保管を容易にし、再度組み立てた時の劣化を防ぐことができる組み立て式ヘッドマウントディスプレイ用箱体を提供する。【解決手段】イヤフォン、掃除用具、記録媒体などの付属品を収納ケースに収納し、組み立て済み箱本体ＨＤの内部に収納することで、本来の機能を有する箱本体を組み立て後の形状を保持したまま、箱本体装飾パーツｄ、ｆ１、ｆ２部、補助パーツｃ、ｅと付属品および収納ケース一式を外箱に収納する。【選択図】図１１
2018011282.tif 000002
【特許請求の範囲】
【請求項１】
ヘッドマウントディスプレイに用いる、箱体と収納ケースを少なくとも有しており、組み立て式で、一端に凝視用開口部を備える箱本体と凝視用開口部から挿入し箱本体内部に収納でき、箱体が本来の機能を発揮する際に使用する付属品を収納することが出来る収納ケースとで構成され、前記収納ケースを前記箱本体内部に収納自在に形成したことを特徴とする、ヘッドマウントディスプレイ用箱体。
【請求項２】
請求項１のヘッドマウントディスプレイ用箱体において、前記箱本体の凝視用開口部は湾曲した形状であり、前記収納ケースを前記箱本体に収納した際、前記収納ケースの一部が前記箱本体の湾曲した部分から表出する形状を特徴とする。
【請求項３】
請求項１の収納ケースにおいて、前記収納ケースの上蓋は、前記箱本体の凝視用開口部の上壁部に接触することで、自動的に蓋を閉めることが出来るように形成されていることを特徴とする。
【請求項４】
請求項１乃至２の収納ケースにおいて、前記収納ケース本体と、前記収納ケース本体内の仕切りとに切り欠きを設けたことを特徴とする。
【請求項５】
請求項１乃至３のヘッドマウントディスプレイにおいて、前記箱本体と前記収納ケースの材質が組み立て可能な素材であることを特徴とする。
【発明の詳細な説明】
【技術分野】
【０００１】  本発明は、ヘッドマウントディスプレイ用箱体の構造に関する。
【背景技術】
【０００２】  従来の組み立て式ヘッドマウントディスプレイ用箱体は、スマートフォンなどの携帯端末を利用して簡易型のヘッドマウントディスプレイを実現するための箱体である。この箱体は、外箱の参考展開図及び内箱の参考展開図のそれぞれに示す形状に切り取られた段ボールなどの厚手の紙を、両図の細い破線で谷折りすることによって組み立てられた外箱及び内箱と、内箱に取り付けられたフレネルレンズとから構成される。外箱には、内箱が前後に移動可能に嵌め込まれており、利用者は、外箱の右側壁部と左側壁部との間に眼を位置付けるようにこの箱体を保持することによって、ポケット部に収容される携帯端末の表示画面を、第１窓部と第２窓部と第２窓部を覆うフレネルレンズとを介して、閲覧することができる。内箱は、携帯端末を収容するために設けられたポケット部と、携帯端末が有するカメラのレンズを外部へ露出させるために設けられた撮影用切り欠き部と、携帯端末が有する端子を外部へ露出させるために設けられた端子露出用孔部と、ポケット部に収容される携帯端末が有する表示画面を利用者が閲覧できるようにするために設けられた第１窓部及び第２窓部と、フレネルレンズの上端部及び下端部のそれぞれが差し込まれた切れ込み部と、携帯端末がタッチパネルを有する場合に指を挿入してそのタッチパネルを操作するために設けられた指挿入孔部とを有し、組み立て前の容積削減に優れ、輸送を容易にし、組み立て前の外箱収納時では場所を取らない作りとなっているものがある。（例えば、特許文献１参照。）。
【先行技術文献】
【特許文献】
【０００３】
【特許文献１】  意匠登録第１５２４１０６号
【発明の概要】
【発明が解決しようとする課題】
【０００４】  しかしながら、従来の組み立て式ヘッドマウントディスプレイ用箱体は、使用後再度外箱に収納する際に分解する必要があり、再度使用する際には再組み立てが必要であった。また、再組み立てによる素材の劣化の問題が存在した。【０００５】  本発明はこのような従来の組み立て式ヘッドマウントディスプレイ用箱体が有していた問題を解決しようとするものであり、本来機能を有する本体部分を組み立て済みの形状のまま保管することを可能とし、再度利用するまでの保管を容易にしつつ再組み立てによる劣化を防ぐことを目的とするものである。
【課題を解決するための手段】
【０００６】  そして、本発明は上記目的を達成するために、ヘッドマウントディスプレイに用いる、箱体と収納ケースを少なくとも有しており、組み立て式で、一端に凝視用開口部を備える箱本体と凝視用開口部から挿入し箱本体内部に収納でき、箱体が本来の機能を発揮する際に使用する付属品を収納することが出来る収納ケースとで構成され、前記収納ケースを前記箱本体内部に収納自在に形成したことを特徴とする構造となっており、これにより箱本体の保形効果を向上させ、箱本体の形状を保持したまま保管することで、箱本体の再組み立てによる劣化を防ぎつつ、一式の保管時の容積を削減することで、箱本体と装飾部分と収納ケースと箱本体が本来機能を発揮する際に使用する付属品とを同一の箱内に共に保管することが可能となっている。【０００７】  さらに、上記のヘッドマウントディスプレイ用箱体は、前記箱本体の凝視用開口部は湾曲した形状であり、前記収納ケースを箱本体に収納した際、前記収納ケースの一部が前記箱本体の湾曲した部分から表出する形状を特徴としており、これにより前記箱本体から前記収納ケースの取り出しを容易にする構成となっている。【０００８】  また、前記収納ケースの上蓋は、前記箱本体に挿入する際、前記箱本体凝視用開口部の上壁部に接触することで、自動的に蓋を閉めることが出来るように形成されていることを特徴とし、これにより、前記収納ケースを前記箱本体内部に収納することを容易とする。【０００９】  さらに、前記収納ケース内には、付属品を収納自在とし、前記収納ケース本体と、前記収納ケース本体内の仕切りとに切り欠きを設けたことを特徴とし、これにより、保管している物品を取り出しやすくする。また、収納ケース本体内の仕切りは、箱本体内部に取付け自在に形成されており、これにより、様々な形状の付属品の保管を可能にし、また、仕切りを取り付けることで、収納ケース本体の保形効果を得ることが出来る。【００１０】  前記ヘッドマウントディスプレイにおいて、前記箱本体と前記収納ケースの材質が組み立て可能な素材であることを特徴とし、これにより、ヘッドマウントディスプレイは軽量化され、組み立て前収納時の容量を削減することが可能となっている。
【発明の効果】
【０００８】上述したように、本発明の組み立て式ヘッドマウントディスプレイ用箱体は、本来機能を有する箱本体を組み立て済みの形状のまま保管することを可能とし、再度利用するまでの保管を容易にしつつ再組み立てによる劣化を防ぐことを可能とするものである。
【図面の簡単な説明】
【０００９】
【図１】本発明の左前上方斜視図
【図２】本発明の未使用時の収納を示す左前上方斜視図
【図３】本発明における箱本体の組み立て手順図
【図４】本発明における箱本体の部位説明図
【図５】本発明における箱本体の部位説明Ａ−Ａ断面図
【図６】本発明における装飾部の組み立て手順図
【図７】本発明における収納ケースの組み立て手順図
【図８】本発明の収納ケースにおける付属品の収納方法指示図
【図９】本発明の使用後分解、収納手順図
【図１０】本発明の箱本体に収納ケースを収納する際の手順を示すＡ−Ａ断面図
【図１１】本発明使用後の外箱への収納手順図
【発明を実施するための形態】
【００１０】    以下、本発明の実施形態を図１〜図１１に基づいて説明する。
【００１１】  本発明では、ヘッドマウントデイスプレイ用箱体ＨＤＢは、本来機能を有する箱本体ＨＤと箱本体ＨＤのポケット部２に携帯用端末を挿入した際携帯用端末の固定を補助する補助パーツｃと補助パーツｅと、箱本体ＨＤを装飾する、パーツｄ、パーツｆ１、パーツｆ２とパーツｄをパーツｃに固定することを補助する輪ゴムｊで構成されたヘッドマウントディスプレイ用箱体ＨＤＡと収納ケースＳＣＨＩで構成されている。
【００１２】  本発明のヘッドマウントディスプレイ用箱体ＨＤＢは未使用時、パッケージ箱ＰＫに、未組立ての状態で図２（Ａ）が示すようにヘッドマウントディスプレイ用箱体ＨＤＢを形成する前記全パーツを折り畳んだ状態で、付属品とともに重ねた状態で、図２（Ａ）（Ｂ）が示す通りに収納される。
【００１３】  以下、箱本体ＨＤの組立方法と構造を説明する。パッケージ箱ＰＫを開封し図３が示す様に、まずパーツａを図３（Ｂ）、（Ｃ）の順に組み立て、図４（Ｄ）の形状に形成したパーツａを図４（Ｅ）に従い、前記パーツｂと組み合わせ、図３（Ｆ）が示す形状に形成し、箱本体ＨＤを形成する。
【００１４】  箱本体ＨＤは、図４と図５が示すように、一端に凝視用開口部５を備え、第二窓部６にフレネルレンズ１０が取り付けられる。凝視用開口部接顔部１は、湾曲した形状となっており、利用者は、箱本体ＨＤの右側壁部８ｂと左側壁部８ａとの間に眼を位置付けるように箱本体ＨＤを保持することによって、顔面と凝視用開口部接顔部１を密着させた状態で、ポケット部２に収容される携帯端末の表示画面を、第１窓部７と第２窓部６と第２窓部６を覆うフレネルレンズ１０とを介して、閲覧することができる。箱本体ＨＤは、携帯端末を収容するために設けられたポケット部２と、携帯端末が有するカメラのレンズを外部へ露出させるため、且つ携帯端末が有する端子を外部へ露出させるために設けられた撮影用切り欠き部兼端子露出用孔部３と、ポケット部２に収容される携帯端末が有する表示画面を利用者が閲覧できるようにするために設けられた第１窓部７及び第２窓部６と、第二窓部６に貼り付けられた、フレネルレンズ１０と、携帯端末の取り出しを助ける取り出し用孔部４を有する。
【００１５】  続いて、箱本体ＨＤにスマートフォンの固定を補助する補助パーツｃと補助パーツｅと箱本体を装飾するパーツｄ、パーツｆ１、パーツｆ２を箱本体ＨＤに取り付ける手順を説明する。図６（Ｂ）が示す通りパーツｃと箱本体ＨＤを組み合わせ、装飾パーツｄを図６（Ｃ）が示す通り取り付け、輪ゴムｊで装飾パーツｄを図６（Ｄ）（Ｅ）の示す通り固定し、図６（Ｆ）が示す通り装飾パーツｆ１とｆ２と補助パーツｅを箱本体ＨＤに取り付け、図６（Ｇ）が示すヘッドマウントディスプレイ用箱体ＨＤＡを形成する。
【００１６】  さらに、補助パーツの働きを説明する。補助パーツｃと補助パーツｅは、携帯端末をポケット部２に挿入時、補助パーツｃを箱本体ＨＤに取り付け、さらに、補助パーツｅの有する挿入用孔部ｃ１ａもしくはｃ１ｂもしくはｃ１ｃに対応する挿入用突起ｅ１と、挿入用孔部ｃ２ａもしくはｃ２ｂもしくはｃ２ｃに対応する挿入用突起ｅ２をそれぞれを、携帯端末の大きさに応じて、補助パーツｃの有する固定用挿入孔部ｃ１ａ、ｃ１ｂ、ｃ１ｃ、および、ｃ２ａ、ｃ２ｂ、ｃ２ｃのいずれかに挿入することで、挿入用突起ｅ１と挿入用突起ｅ２が携帯端末を両端を挟み込むことで、携帯端末の保持機能を補完することができる。
【００１７】  次に、収納ケースＳＣＨＩの組み立て方法を説明する。まず、図７（Ｂ）が示す通りパーツｇを組み上げ、収納ケース本体ＳＣを形成する。さらに、パーツｈとパーツｉを図７（Ｃ）が示す通り形成し（このとき、切り欠きが形成される。）図７（Ｄ）が示す通りパーツｈとパーツｉを組み合わせ、収納ケース仕切りＨＩを形成し、図７（Ｅ）が示す通り収納ケース本体ＳＣと組み合わせ、図７（Ｆ）が示す収納ケースＳＣＨＩを形成する。
【００１８】  形成された収納ケースＳＣＨＩには、図８が示すように付属品を保管することが可能であり、収納ケース本体ＳＣと収納ケース仕切りＳＣＨＩ双方に切り欠きが形成されていることで、収納ケースＳＣＨＩに保管している物品の取り出しを容易にしている。また、収納ケース仕切りＨＩは、取り付け自在に形成されており、様々な形状の付属品の収納を可能とし、収納ケース仕切りＨＩを収納ケース本体ＳＣに取り付けた際には種類別に付属品を保管することを助け、収納ケース本体ＳＣの保形効果を補完する。
【００１９】  本来機能使用後の収納方法について説明する。本来機能使用時、本発明のヘッドマウントディスプレイ用箱体ＨＤＡの差し込みポケット部２に挿入されている携帯用端末を取り出し用孔部４に指を挿入し、上方にスライドさせ取り出す。（図示無し）
【００２０】  さらに、図９（Ａ）に従い箱本体ＨＤから装飾パーツｆ１と装飾パーツｆ２と装飾パーツｄ、また、補助パーツｃと補助パーツｅと輪ゴムｊとを取り外す。このとき、付属品を収納ケースＳＣＨＩに収納する。
【００２１】  続いて、図９（Ｂ）（Ｃ）に従い、付属品を収納した収納ケースＳＣＨＩを箱本体ＨＤの凝視用開口部５に挿入する。この時、図１０が示す様に収納ケースＳＣＨＩの上蓋ｇ１は、箱本体ＨＤの凝視用開口部５の上壁部９に接触することで、自動的に蓋を閉めることが出来るように形成されており、収納ケースＳＣＨＩは箱本体ＨＤの凝視用開口部５に容易に収納することが出来る。なお、凝視用開口部接顔部１は湾曲した形状であり、図９（Ｃ）が示す様に収納ケースＳＣＨＩを箱本体ＨＤに収納した際、収納ケースＳＣＨＩの一部が箱本体ＨＤの湾曲した部分から表出する。これにより箱本体ＨＤから収納ケースＳＣＨＩの取り出しが容易になっている。
【００２２】  次に、収納ケースＳＣＨＩを挿入した状態の箱本体ＨＤと装飾パーツｆ１とｆ２と輪ゴムｊと補助パーツｅとパーツｄと補助パーツｃとを図１１（Ａ）が示す通りの順序と形態で重ね、図１１（Ｂ）が示す様にパッケージ箱ＰＫに収納する。このとき、収納ケースＳＣＨＩが箱本体ＨＤの凝視用開口部５に収納されていることによって、箱本体ＨＤの保形効果が補完される。また、箱本体ＨＤを組み立て済みの形状を保ったままパッケージ箱ＰＫに収納することができることで、再度本来機能を利用する際の再組み立てを簡便化し、再組み立てによる劣化を防ぐことが出来る。
【産業上の利用可能性】
【００２３】  収納ケースに収納する付属品としては、例えばイヤフォン、関連する掃除用具、ヘッドマウントディスプレイを用いたゲームで使用する駒類、記録媒体などスマートフォン、ヘッドマウントディスプレイに関するものが有りえる。
【符号の説明】  ＨＤ…組み立て済みヘッドマウントディスプレイ用箱体本体
ＨＤＡ…装飾部含む組み立て済みヘッドマウントディスプレイ用箱体
ＨＤＢ…上記ＨＤＡと下記ＳＣＨＩ双方を合わせた状態を示す
ＳＣ…組み立て済み収納ケース箱体本体
ＨＩ…組み立て済み収納ケース仕切り
ＳＣＨＩ…組み立て済み収納ケース
ＰＫ…本発明を収納する外箱
ａ…本体構成パーツ１
ｂ…本体構成パーツ２
ｃ…補助パーツ１
ｃ１ａ…ｅ１固定用挿入孔部１
ｃ１ｂ…ｅ１固定用挿入孔部２
ｃ１ｃ…ｅ１固定用挿入孔部３
ｃ２ａ…ｅ２固定用挿入孔部１
ｃ２ｂ…ｅ２固定用挿入孔部２
ｃ２ｃ…ｅ２固定用挿入孔部３
ｄ…装飾パーツ１
ｅ…補助パーツ２
ｅ１…ｃ１ａもしくはｃ１ｂもしくはｃ１ｃに対応する挿入用突起
ｅ２…ｃ２ａもしくはｃ２ｂもしくはｃ２ｃに対応する挿入突起
ｆ１…装飾パーツ２
ｆ２…装飾パーツ３
ｇ…収納ケース本体パーツ
ｇ１…収納ケース上蓋
ｈ…収納ケース仕切り構成パーツ１
ｉ…収納ケース仕切り構成パーツ２
ｊ…装飾パーツｄの固定を補助する輪ゴム
１…凝視用開口部接顔部
２…ポケット部
３…撮影用切り欠き部兼端子露出用孔部
４…取り出し用孔部
５…凝視用開口部
６…第二窓部
７…第一窓部
８ａ…左側壁部
８ｂ…右側壁部
９…上壁部
１０…フレネルレンズ
【図１】
2018011282.tif 000003
【図２】
2018011282.tif 000004
【図３】
2018011282.tif 000005
【図４】
2018011282.tif 000006
【図５】
2018011282.tif 000007
【図６】
2018011282.tif 000008
【図７】
2018011282.tif 000009
【図８】
2018011282.tif 000010
【図９】
2018011282.tif 000011
【図１０】
2018011282.tif 000012
【図１１】
2018011282.tif 000013